(57)【要約】      （修正有）【課題】指が離れた時にタッチ点が移動せず、かつ多数の選択肢の移動をスムーズに行えて確実な選択操作ができる座標指示装置と、この座標指示装置を用いた情報処理装置を提供する。【解決手段】座標指示装置５０は、タッチパッド５１と、タッチ面５３への押下を検知する押下検知手段５２とを備え、タッチ面５３は、隣り合う第１検知領域５５と第２検知領域５６との間に重複検知領域６０が設定され、この重複検知領域６０に第１検知領域５５側の重複検知領域６０と第２検知領域５６側の重複検知領域６０を仕切る凸リブ５７が設けられ、タッチ座標Ｐ１が第１検知領域５５から第２検知領域５６へ移動するにあたって、選択状態１０１を１単位（１個）移動する信号を発信するようにする。【選択図】図１
2010079772.tif 000002
【特許請求の範囲】
【請求項１】
表示装置の表示画面に１つの選択肢が選択状態となる複数の選択肢を備えた選択画面を表示し、前記選択状態を所定の方向に移動させる座標指示装置において、
前記座標指示装置は、タッチ面でのタッチ座標を検知するタッチパッドと、前記タッチ面への押下を検知する押下検知手段とを備え、
前記タッチ面は、隣り合う第１検知領域と第２検知領域との間に重複検知領域が設定され、この重複検知領域に第１検知領域側の重複検知領域と第２検知領域側の重複検知領域を仕切る凸リブが設けられ、
前記タッチ座標が前記第１検知領域から前記第２検知領域へ移動するにあたって、前記重複検知領域から第２検知領域に移動することによって、前記第１検知領域から前記第２検知領域への移動方向へ、前記選択状態を１単位移動する信号を発信する
ことを特徴とする座標指示装置。
【請求項２】
表示装置の表示画面に１つの選択肢が選択状態となる複数の選択肢を備えた選択画面を表示し、前記選択状態を所定の方向に移動させる座標指示装置において、
前記座標指示装置は、タッチ座標を検知するタッチパッドと、このタッチパッドに配置される押下検知手段と、前記タッチパッドと前記押下検知手段の上部を覆うタッチ面とを備え、
前記タッチ面は、その中央に設定される決定の検知領域と、この決定の検知領域の周囲に設定される第１の検知領域と、この第１の検知領域の周囲に設定される第２の検知領域と、隣り合う前記検知領域の間に設定される重複検知領域と、前記重複検知領域の内側と外側の中央に前記２つの検知領域を仕切る凸リブとを備え、
前記タッチ座標が１つの検知領域から隣の検知領域へ移動するにあたって、前記重複検知領域から隣の検知領域に移動することによって、前記１つの検知領域から隣の検知領域への移動方向へ、前記選択状態を１単位移動する信号を発信する
ことを特徴とする座標指示装置。
【請求項３】
請求項２記載の座標指示装置において、
前記決定の検知領域の四方の検知領域に、この決定の検知領域から外側に向かう指示マークを備え、前記決定の検知領域と、前記指示マークの下方に前記押下検知手段を備えた
ことを特徴とする座標指示装置。
【請求項４】
１つの選択肢が選択状態となる複数の選択肢を備えた選択画面を表示する表示装置と、前記選択状態を所定の方向に移動させる座標指示装置と、前記座標指示装置の操作信号に基づいて前記表示装置の表示内容を制御する制御装置とを備えた情報処理装置において、
前記座標指示装置は、タッチ面でのタッチ座標を検知するタッチパッドと、前記タッチ面への押下を検知する押下検知手段とを備え、
前記タッチ面は、隣り合う第１検知領域と第２検知領域との間に重複検知領域が設定され、この重複検知領域に第１検知領域側の重複検知領域と第２検知領域側の重複検知領域を仕切る凸リブが設けられ、
前記制御装置は、前記タッチ座標が前記第１検知領域から前記第２検知領域へ移動するにあたって、前記重複検知領域から第２検知領域に移動することによって、前記第１検知領域から前記第２検知領域への移動方向へ、前記選択状態を１単位移動させる
ことを特徴とする情報処理装置。
【請求項５】
１つの選択肢が選択状態となる複数の選択肢を備えた選択画面を表示する表示装置と、前記選択状態を所定の方向に移動させる座標指示装置と、前記座標指示装置の操作信号に基づいて前記表示装置の表示内容を制御する制御装置とを備えた情報処理装置において、
前記座標指示装置は、タッチ座標を検知するタッチパッドと、このタッチパッドに配置される押下検知手段と、前記タッチパッドと前記押下検知手段の上部を覆うタッチ面とを備え、
前記タッチ面は、その中央に設定される決定の検知領域と、この決定の検知領域の周囲に設定される第１の検知領域と、この第１の検知領域の周囲に設定される第２の検知領域と、隣り合う前記検知領域の間に設定される重複検知領域と、前記重複検知領域の内側と外側の中央に前記２つの検知領域を仕切る凸リブとを備え、
前記制御装置は、前記タッチ座標が１つの検知領域から隣の検知領域へ移動するにあたって、前記重複検知領域から前記隣の検知領域に移動することによって、前記１つの検知領域から隣の検知領域への移動方向へ、前記選択状態を１単位移動させる
ことを特徴とする情報処理装置。
【請求項６】
請求項５記載の座標指示装置において、
前記決定の検知領域の四方の検知領域に、この決定の検知領域から外側に向かう指示マークを備え、前記決定の検知領域と、前記指示マークの下方に前記押下検知手段を備えた
ことを特徴とする情報処理装置。
【発明の詳細な説明】
【技術分野】
【０００１】
本発明は、タッチパッド方式の座標指示装置と、この座標指示装置を用いた情報処理装置に関するものである。
【背景技術】
【０００２】
従来より、パーソナルコンピュータ（パソコン）では、表示装置にカーソルを表示させ、マウスやタッチパッドなどの座標指示装置を介して、表示画面に表示される入力欄にカーソルを移動させて入力作業を行ったり、あるいはカーソルを移動させることで図形などを作成することが一般的である。一方、テレビジョン受像機（テレビ）や携帯電話などでは、表示画面に各種の選択肢を表示させて、この選択肢をリモコンに設けた十字キーなどの座標指示装置で移動させることが一般的となっている。即ち、パソコンなどでは、カーソルが連続移動可能なアナログ的選択方式（カーソル方式）が一般的となっているのに対し、テレビでは選択肢を順次移動させて選択するデジタル的な選択方式（ブロックカーソル方式）が一般的となっている。これは、ブロックカーソル方式の方が選択肢が明確であり、機器操作に不慣れなユーザに操作が分かりやすいいという点も起因している。
【０００３】
近年、テレビのデジタル化や電子機器の一般への普及に伴って、パソコンとテレビの境が希薄となり、座標指示装置もカーソル方式からブロックカーソル方式が広く普及してきている。
【０００４】
しかし、ブロックカーソル方式では、複数の選択肢の中で、必ず特定の１つが選択された状態となっており、この選択された選択肢を座標指示装置で順次移動させて目的の選択肢に移動させなければならない。このため、通常の十字キーでは、移動させる選択肢の数だけキーを押下する必要がある。また、キーを長押しして移動量を継続させる技術も提案されているが、この方式では、移動量の調整がつかず、行き過ぎてしまう課題を備えている。
【０００５】
座標指示装置は、多様なものが提案されてが、この提案されている座標指示装置で、ブロックカーソル方式を採用すると以下の課題がある。
【０００６】
例えば、前記したように、十字キーでは長押しすると行き過ぎる課題がある。また、ジョグダイアルでは、メカニカルな構造を採用しているので、故障や縦横どちらか一方の操作しか対応することができないとの課題がある。また、トラックボールやタッチパッドあるいは光ポインタでは行き過ぎるという課題がある。
【０００７】
特に、リモコンや携帯電話装置などの携帯端末では、携帯性に優れたタッチパッドが主流の技術となっており、このタッチパッドの構造で前記ブロックカーソル方式を採用できれば、快適な操作性が得られる。
【０００８】
しかしながら、タッチパッドは、フラットな操作面を指でなぞる操作方式のため、操作量が分かり難いという課題がある。そこで、従来技術では、タッチパッドの表面に一定間隔で加工を施し、操作者の指の移動や停止を制御しやすくした提案がなされている。
【０００９】
また、従来技術では、タッチパッドの中心から周囲方向に向かって移動量が大きくなる複数の領域を設定したものが提案されている。この従来技術では、各領域に突起などを設けて、ユーザが触れる領域を指で感じる構造としている。
【００１０】
【特許文献１】特開２００７−７２６６０号公報
【特許文献２】特開２００６−２６８６６３号公報
【特許文献３】特開２００６−２６８６６５公報
【発明の開示】
【発明が解決しようとする課題】
【００１１】
前記前記従来例では、タッチパッドが、複数の領域に分割され且つ各領域に選択候補となる文字情報などの情報が割り当てられ、操作者の指の移動量に応じてカーソルの移動量を制御可能としている。タッチパッドは、操作者の指の移動方向と交わるように一定間隔で表面加工が施され、表面加工の間隔に対応させてカーソルの移動量を設定できるようにしている。
【００１２】
しかし、この従来例では、移動と停止位置を波形状の凹凸と対応させ、あるいは、対応する位置に目印となる表面加工を施しているものの、隣り合う領域の境が明確でない、このため、指が離れた時に意図せずタッチ点が移動して、カーソルが移動してしまう課題がある。同様に、他の従来例も、各領域に突起などを設けて、ユーザが触れる領域を指で感じる構造としているものの、隣り合う領域の境目が明確でないため、前記従来例と同様な課題がある。
【００１３】
そこで、この発明の目的は、指が離れた時にタッチ点が移動せず、かつ多数の選択肢の移動をスムーズに行えて確実な選択操作ができる座標指示装置と、この座標指示装置を用いた情報処理装置を提供することにある。
【課題を解決するための手段】
【００１４】
前記目的を達成するために、本発明に係る座標指示装置と、この座標指示装置を用いた情報処理装置は、タッチパネルに隣接設定した複数のタッチ検知領域の間に、重複領域を設定し、この重複領域に凸リブを形成し、指のタッチ位置が重複領域の進行方向側の境界線を越えたとき選択肢を１単位移動する。
【００１５】
具体的には、この発明に係る座標指示装置と、この座標指示装置を用いた情報処理装置は、座標指示装置が、タッチ面でのタッチ座標を検知するタッチパッドと、タッチ面への押下を検知する押下検知手段とを備え、タッチ面は、隣り合う第１検知領域と第２検知領域との間に重複検知領域が設定され、この重複検知領域に第１検知領域側の重複検知領域と第２検知領域側の重複検知領域を仕切る凸リブが設けられ、タッチ座標が第１検知領域から第２検知領域へ移動するにあたって、重複検知領域から第２検知領域に移動することによって、第１検知領域から第２検知領域への移動方向へ、選択状態を１単位（１個）移動する信号を発信するようにする。
【発明の効果】
【００１６】
この発明によれば、指が離れた時にタッチ点が移動せず、かつ多数の選択肢の移動をスムーズに行えて確実な選択操作を行うことができる。
【発明を実施するための最良の形態】
【００１７】
以下、図１から図８を参照して、この発明に係る座標指示装置を具体的に説明する。ここで、図１から図７が第１実施例に係る座標指示装置を備えた携帯電話装置であり、図８が第１実施例の応用例である実施例２に係る座標指示装置を示している。なお、同一部位や矢印などは同一符号をもって示して重複した説明を省略する。
【実施例１】
【００１８】
先ず、図１を参照して、この第１実施例に係る座標指示装置を備えた携帯電話装置を具体的に説明する。
【００１９】
先ず、この携帯電話装置の概略構造を、図１の携帯電話装置の概略構造を示す概略構成図を参照しながら説明する。図１において、符号１で総括的に示すのは、第１函体２と第２筺体３とを連結部４を介して折りたたみ可能とする2つ折れタイプの携帯電話装置である。この携帯電話装置１は、２つの筺体を開いた状態で連続する表示配置面５と入力部配置面６を備え、表示配置面５には表示部７を配置し、入力部配置面６にはテンキーとフアンクションキーからなる操作入力部８と座標指示装置５０を配置している。
【００２０】
この実施例の携帯電話装置１は、通常の電話機能に加えて、各種の機能を選択するメニュー画面１００を表示部７に表示し、このメニュー画面１００に設けられる複数の機能選択ボタン１０１の中から１つを前記座標指示装置５０で選択し、これを決定操作することで、当該機能選択ボタン１０１に割り当てられた機能を実行することができる。
【００２１】
ここで、このメニュー画面１００は、表示される複数の機能選択ボタンの１つが必ず選択状態１０２となるブロックカーソル方式の表示形式を採用している。したがって、座標指示装置の１つの移動操作で、前記機能選択ボタン１０１の選択状態１０２を１つ移動させるように設定されている。
【００２２】
この実施例の座標指示装置５０は、静電容量式のタッチパッド５１を採用し、このタッチパッド５１上の中央と四方にタクトスイッチ５２を配置し、その上部を樹脂材料で形成されるタッチ面５３で覆う構造としている。このタッチ面５３は、中央に設定される矩形状の決定検知領域５４と、その周囲に設定される矩形状の第１検知領域５５と、更にその周囲に設定される矩形状の第２検知領域５６と、各領域を仕切る凸リブ５７とを備えている。
【００２３】
そして、第２検知領域５６の上下中央と左右中央には指示マーク５８が設けられ、この指示マーク５８と前記決定検知領域５４の下部に前記タクトスイッチ５２が設けられている。
【００２４】
そして、この実施例に係る座標指示装置５０の大きな特徴の１つは、通常の十字キー操作と同様な操作感覚が得られる通常モードと、複数の検知領域間を擦る操作で選択状態１０２を連続移動させる連続モードを得られるようにした点にある。
【００２５】
即ち、この実施例に係る座標指示装置５０では、この種の十字キー方式の座標指示装置で採用する極一般的な通常操作を行うことができる。つまり、指示マーク５８を押下する１回の操作で、この指示マーク５８で表記した方向へ選択状態１０２を1個移動させることができるし、また、指示マーク５８の長押し操作で、長押し操作した時間だけ選択状態１０２を移動させることができる。また、選択状態１０２にある機能選択ボタン１０１を決定検知領域５４の押下で、この機能選択ボタン１０１に割り当てられる機能を実行することができる。
【００２６】
この実施例では、前記通常モードに加えて、特定の検知領域をタッチした指を他の検知領域へ移動させると、その指の移動方向へ選択状態１０２を移動させることができる連続モードを備えている。例えば、第２検知領域５６の上方の部分（指示マーク５８の部分）Ｑ１に指でタッチして、そのタッチした指を矢印にしたがってそのまま下方に移動させる、つまり、第２検知領域５６、第１検知領域５５、決定検知領域５４、第１検知領域５５、第２検知領域５６と連続して移動させることにより、選択状態１０２を、検知領域を移動した数だけ、その移動方向に移動させることができる。
【００２７】
例えば、先の例では、タッチ点Ｑ１である第２検知領域５６を基点として、移動した第１検知領域５５で1個目、決定検知領域５４で２個目、第１検知領域５５で３個目、第２検知領域５６で４個目に選択状態１０２を移動させることができる。したがって、この擦る操作を連続して操作すれば、更に選択状態１０２を連続して移動させることができる。
【００２８】
また、この検知領域を跨ぐ連続操作に引き続いて、即ち、タッチした指を離すことなく、押下すれば選択状態１０２の機能選択ボタン１０１を決定操作することができる。
【００２９】
このように、この実施例では、検知領域を移動させることにより、その移動した回数だけ選択状態１０２を移動させることができる。この連続モードの操作は、一見すると通常モードの指示マーク５８を押下する回数だけ移動させる点と共通している。しかし、指示マーク５８を押下する操作は、操作する指を大きく動かす操作であるため、何回も連続して押下すると指にかかる負担が大きい。しかし、この実施例の連続モードでは検知領域を跨いで擦る操作で選択状態１０２を連続して移動させることができるので、移動量に対して指にかかる負担を軽減できる。しかも、擦る操作に連続した押下で決定操作も可能なため、指を離して決定検知領域５４を押し直さなくてもよい。
【００３０】
更にまた、この実施例では、通常モードと連続モードが指の動きで使い分けられるので、自然な形で操作を行うことができる。
【００３１】
また、この実施例の大きな特徴の他の１つは、前記隣り合う検知領域の境に凸リブ５７を備えた点にある。この実施例では、決定検知領域５４を中心に、上下方向と左右方向に、タッチする指を移動させることにより、その移動方向に選択状態１０２を移動させることができるので、前記凸リブ５７は、この移動方向に直交する方向に形成される。この凸リブ５７を設けることにより、タッチする指は、検知領域を跨ぐ度、即ち、選択状態１０２を１回移動させるたびに、１つの凸リブ５７を越えることとなる。このため、操作するユーザは、指の接触感覚で移動量を把握することができる。したがって、この実施例によれば、タッチパネルでの操作でありながら、機械式のスイッチを押す操作感覚（クリック感）を得ることができる。
【００３２】
また、この実施例の大きな特徴の他の１つは、前記検知領域の境に、両検知領域の重複検知領域６０を設定し、この重複検知領域６０に前記凸リブ５７を備え、２つの検知領域を跨いで移動する指の重心Ｐ１が、凸リブ５７を越えて隣の検知領域に移動しても、この重複検知領域６０の範囲内であれば、選択状態１０２を移動させない点にある。
【００３３】
即ち、携帯電話装置などの小型の機器に採用されるこの種の座標指示装置は、コンパクトに構成されるため、複数の検知領域を近接して配置する構造となる。この場合、折角、目的の機能選択ボタン１０１を選択状態１０２としても、指を離す際に、隣の検知領域に指が触れてしまう課題がある。この実施例では、この課題を解決するために、この検知領域内では移動の判定を行わない重複検知領域６０を凸リブ５７の両側に設けている。この構造によれば、前記課題を軽減できるとともに、凸リブ５７の両方向からの移動にも対応することができる。
【００３４】
このように、この実施例の座標指示装置５０によれば、指が離れた時にタッチ点Ｑ１が移動せず、かつ多数の選択肢である機能選択ボタン１０１の移動をスムーズに行えて確実な選択操作ができる座標指示装置５０を提供することができる。
【００３５】
以下、図２から図８を参照して、更にこの第１実施例に係る座標指示装置６０を備えた携帯電話装置１を具体的に説明する。ここで、図２は、この実施例に係る携帯電話装置の装置ブロック図である。図３と図４は座標指示装置の操作説明図である。図５は動作フロー図である。図６と図７は座標指示装置の動作説明図である。
【００３６】
先ず、図２において、この実施例に係る携帯電話装置１は、この携帯電話装置１を統括的に制御する制御部（ＣＰＵ）１０と、通信装置１１と、マイク１２とスピーカ１３と表示部７と記憶装置１４と座標指示装置５０と入力操作部６とカメラ部１５とバッテリー１６を含んで構成される。
【００３７】
この実施例では、制御部１０が座標支持装置５０からの検知信号を受け付けると、この座標指示装置５０に対応したプログラムを動作させて前記表示部７の表示画面の表示や動作指示を実行する。
【００３８】
次に、図３と図４を参照して、この実施例に係る座標指示装置５０の使い勝手を説明する。ここで、図３の（ａ）（ｂ）（ｃ）図は、座標指示装置の操作説明図であり、上下に座標指示装置５０の平面図と指の操作を示す端面図を対で示している。また、図４の（ａ）（ｂ）（ｃ）図は、座標指示装置の操作説明図であり、メニュー画面１００と、そのメニュー画面１００における座標支持装置５０のタッチ状態とを対で上下に示している。
【００３９】
先ず、図３の（ａ）図は、指を第２検知領域５６にタッチした状態を示している。操作者は、指を第２検知領域５６にタッチすると、その指が凸リブ５７により挟まれて支持される安定した支持姿勢をとるため、第２検知領域５６をタッチしたことを指の感覚で知ることができる。次に、操作者が、タッチした指を離すことなく（ｃ）図の第１検知領域５５に移動すると、その移動の途中で（ｂ）図に示すように凸リブ５７を越えることとなる。操作者は、この凸リブ５７を越えて再び凸リブ５７により支持されて安定した姿勢の第１検知領域５５に移動するため、使用者は２つの検知領域間を移動したことを指の感覚で知ることができる。
【００４０】
図４において、この実施例では、(ａ)図に示す複数の機能選択ボタン１０１が上下に配置されるメニュー画面１００が表示されると、初期値として最上部の機能選択ボタン１０１が選択状態１０２となっている。この状態で、例えば、(ａ)図のように、指を第２検知領域５６にタッチすると、タッチしただけではメニュー画面１００の表示内容は変化しない。この状態から、（ｂ）図に示すように、タッチした指が凸リブ５７を越えて隣接する第１検知領域５５に移動すると、選択状態１０２は指が移動した方向、即ち、下方に１つ移動して２番目の機能選択ボタン１０１が選択状態１０２となる。同様に、（ｃ）図のように、タッチした指を離すことなく、更に、下方に移動して決定検知領域５４に移動すると、選択状態１０２は指が移動した方向、即ち、下方に１つ移動して３番目の機能選択ボタン１０１が選択状態１０２となる。
【００４１】
このように、この実施例によれば、凸リブ５７を超えて隣の検知領域に移動させれば、その移動方向に選択状態１０２を移動させることができる。ここで、図４の(ａ)図では、タッチ点Ｑ１を第２検知領域５６とする事例で説明したが、このタッチ点Ｑ１はどこの検知領域でも同様な作用となる。
【００４２】
次に、図６、図７の操作説明図を参照しながら、図５に示す動作フローを具体的に説明する。ここで、図５は、座標指示装置５０を制御する制御部１０の動作フロー図である。また、図６と図７は、座標指示装置の動作説明図であり、（ａ）（ｂ）（ｃ）図はメニュー画面と座標指示装置の平面図が上下に対で図示されている。
【００４３】
先ず、制御部１０は、タッチ面５３にタッチされたか否かを監視している(ステップ１５０)。タッチ面５３にタッチされると、制御部１０はタッチされた検知領域を判定する(ステップ１５２)。そして、制御部１０は、タッチされた検知領域が押下されるか否か（ステップ１５４）と、タッチが解除されたか否か（ステップ１５５）、タッチされる検知領域が移動したか否か（ステップ１５６）とを監視する。
【００４４】
ステップ１５４において、タッチされた検知領域が押下されると、制御部１０は通常モードであると判定し、押下された検知領域が決定検知領域５４か否かを判定する(ステップ１５６)。決定検知領域５４であれば、制御部１０は、メニュー画面１００で選択状態１０２にある機能選択ボタン１０１に割り当てられる機能を実行し（ステップ１７０）、決定検知領域５４以外であれば、押下された検知領域に割り当てられる機能、例えば、指示マーク５８を備えた第２検知領域５６であれば、この指示マーク５８に対応した移動方向に選択状態１０２を移動させて(ステップ１６８)、処理を終了する。なお、このフローでは、ステップ１５４において長押しを省略しているが、このステップ１５４で長押しされれば、ステップ１６８において、その長押しされた時間だけステップ１６８を実行する。
【００４５】
また、ステップ１５５において、制御部１０は、タッチが解除されれば処理を終了し、タッチが解除されなければステップ１５６へ移行する。ステップ１５６では、制御部１０は、タッチされた指の重心Ｐ１を求め、この重心Ｐ１が重複検知領域６０を越えて隣の検知領域に移動したかが判定する。これを図６で説明する。
【００４６】
図６において、(ａ)図の状態は、最上部の機能選択ボタン１０１が選択状態１０２となっているメニュー画面１００を示している。また、この実施例では、２つの検知領域が隣接する検知領域間に重複検知領域６０を設定している。即ち、重複検知領域６０は、決定検知領域５４と第１検知領域５５との間と、第１検知領域５５と第２検知領域５６との間に設定している。したがって、第２検知領域５６の外側には重複検知領域６０を設定していない。
【００４７】
また、重複検知領域６０は、その内側と外側の間に凸リブ５７が形成されている。したがって、図６に示す第２検知領域５６から第１検知領域５５へ移動する場合でも、図７に示すように、逆に第１検知領域５５から第２検知領域５６への移動でも同様な判定を行うことができる。
【００４８】
図６に示すように、タッチ点Ｑ１が第２検知領域５６にある（ａ）図の状態から（ｃ）図に示すように、重心Ｐ１が第１検知領域５５に移動すると、制御部１０は、重心Ｐ１の移動方向に従って、選択状態１０２を１番目の機能選択ボタン１０１から２番目の機能選択ボタン１０１に移動させる。しかし、（ｂ）図に示すように、重心Ｐ１が移動の途中で重複検知領域６０の中に位置する場合は、選択状態１０２を移動させない。
【００４９】
この実施例では、第１検知領域５５から第２検知領域５６へ重心Ｐ１が移動しても同様な判定を行う。即ち、図７の（ａ）図に示すように、タッチ点Ｑ１が第１検知領域５５である場合に、重心Ｐ１を（ｃ）図に示すように、上方の第２検知領域５６へ移動させると、メニュー画面１００の選択状態１０２は（ａ）図の２番目の機能選択ボタン１０１から１番目の機能選択ボタン１０１に移動する。しかし、（ｂ）図に示すように、重心Ｐ１が移動の途中で重複検知領域６０の中に位置する場合は、選択状態１０２を移動させない。
【００５０】
図５に戻り、この実施例では、制御部１０は、ステップ１５６において、重心Ｐ１が重複検知領域６０を越えて隣の検知領域に移動した場合は、重心Ｐ１の移動方向を判定し（ステップ１５８）、当該移動方向に選択状態１０２を移動させる（ステップ１６０）。そして、制御部１０は、移動先の検知領域で押下されたかを判定する（ステップ１６２）。このステップ１６２で押下されたと判定するとステップ１７０に移行させ、押下されなければ、タッチが解除されたか、即ち、指が離れたかを監視する（ステップ１６４）。このステップ１６４において、制御部１０は、タッチが解除されれば処理を終了し、タッチが解除されなければステップ１５２へ移行する。
【００５１】
なお、前記説明では、機能選択ボタン１０１が上下に配置されるメニュー画面１００を事例に説明したがこれに限定されるものではない。例えば、機能選択ボタン１０１が上下と左右に配置されるものでも適用することができる。
【実施例２】
【００５２】
次に、図８を参照して、第１実施例の応用例を実施例２として説明する。図８は実施例２を示すタッチ面の外観図であり、（ａ）から（ｂ）の各図はタッチ面の平面図と端面図が対で図示している。なお、この図８の実施例でも、重複検知領域６０を備えているが、ここでは説明を省略する。
【００５３】
先ず、（ａ）図の実施例は、タッチ面５３ａにグリッド状の凸リブ５７ａを設けたことを特徴とするものである。この実施例では、隣に検知領域６１があると凸リブ５７ａを設けるようにしている。したがって、上下左右の端部には凸リブ５７ａを設けていない。この実施例では、決定検知領域５４を設定していないので、前記連続モード専用の機能を備えている。したがって、制御部１０は、どこの検知領域であっても押下の操作で、図示しないメニュー画面で選択状態１０２にある機能選択ボタン１０１に割り当てられる機能を実行する。
【００５４】
この実施例では、複数の検知領域６１をマトリックス状に配置し、これをグリッド状の凸リブ５７ａで仕切り形状を備えている。そして、制御部１０は、上下と左右に隣接する検知領域６１への移動を監視している。
【００５５】
例えば、（ａ）図において、今、検知領域６１ａをタッチ点Ｑ１とすると、この検知領域６１ａから右隣の検知領域６１ｂに重心Ｐ１が移動すると、制御部１０は、図示しないメニュー画面１００の選択状態１０２を右に１個移動させる。そして、検知領域６１ｂの重心Ｐ１が上方の検知領域６１ｃに移動すると、制御部１０はメニュー画面１００の選択状態１０２を上に更に移動させる。このように、この実施例では、タッチした指の移動を途中で曲がることができる。
【００５６】
（ｂ）図に示す実施例は、横長の検知領域を備えたタッチ面５３ｂとした点に特徴がある。即ち、人間の親指の断面は横長となっており、また、人間の親指の稼動範囲は横に大きく縦に小さいので、この実施例では、この操作する利用者の指の形状と動作に合わせて検知領域を横長に設定している。
【００５７】
（ｃ）図に示す実施例は、十字キーの外側にも検知領域６１ｃを備えたタッチ面５３ｃとした点に特徴がある。即ち、前記第１実施例では、第２領域５６に指示マーク５８を設けた構造としたが、この実施例では、決定検知領域５４に隣接する第１検知領域５５に指示マーク５８を設けている。この実施例も、上下左右の端部には凸リブ５７がない。この実施例によれば、内側のエリアのみで十字カーソルキーを実現し、十字カーソルキーの外側もタッチパッドの検知領域を備えた構造となっている。
【００５８】
このように、この実施例に係る座標指示装置５０は、表示装置７の表示画面に１つの選択肢（機能選択ボタン１０１）が選択状態１０２となる複数の選択肢を備えた選択画面（メニュー画面１００）を表示し、前記選択状態１０２を所定の方向に移動させる座標指示装置５０であって、前記座標指示装置５０は、タッチ面５３でのタッチ座標（重心Ｐ１）を検知するタッチパッド５１と、前記タッチ面５３への押下を検知する押下検知手段５２とを備え、前記タッチ面５３は、隣り合う第１検知領域５５と第２検知領域５６との間に重複検知領域６０が設定され、この重複検知領域６０に第１検知領域５５側の重複検知領域６０と第２検知領域５６側の重複検知領域６０を仕切る凸リブ５７が設けられ、前記タッチ座標Ｐ１が前記第１検知領域５５から前記第２検知領域５６へ移動するにあたって、前記重複検知領域６０から第２検知領域５６に移動することによって、前記第１検知領域５５から前記第２検知領域５６への移動方向へ、前記選択状態１０１を１単位（１個）移動する信号を発信するようにする。
【００５９】
また、この実施例に係る座標指示装置５０は、表示装置７の表示画面に１つの選択肢が選択状態１０２となる複数の選択肢（機能選択ボタン１０１）を備えた選択画面（メニュー画面１００）を表示し、前記選択状態１０２を所定の方向に移動させるものであって、前記座標指示装置５０は、タッチ座標Ｐ１を検知するタッチパッド５１と、このタッチパッド５１に配置される押下検知手段５２と、前記タッチパッド５１と前記押下検知手段５２の上部を覆うタッチ面５３とを備え、前記タッチ面５３は、その中央に設定される決定の検知領域５４と、この決定の検知領域５４の周囲に設定される第１の検知領域５５と、この第１の検知領域５５の周囲に設定される第２の検知領域５６と、隣り合う前記検知領域の間に設定される重複検知領域６０と、前記重複検知領域６０の内側と外側の中央に前記２つの検知領域を仕切る凸リブ５７とを備え、前記タッチ座標Ｐ１が１つの検知領域から隣の検知領域へ移動するにあたって、前記重複検知領域６０から隣の検知領域に移動することによって、前記１つの検知領域から隣の検知領域への移動方向へ、前記選択状態を１単位移動する信号を発信するようにする。
【００６０】
この場合、前記決定の検知領域５４の四方の検知領域に、この決定の検知領域５４から外側に向かう指示マーク５８を備え、前記決定の検知領域５４と、前記指示マーク５８の下方に前記押下検知手段５２を備えるようにする。
【００６１】
また、本発明に係る座標指示装置を備えた情報処理装置は、１つの選択肢が選択状態１０２となる複数の選択肢１０１を備えた選択画面１００を表示する表示装置７と、前記選択状態１０２を所定の方向に移動させる座標指示装置５０と、前記座標指示装置５０の操作信号に基づいて前記表示装置７の表示内容を制御する制御装置１０とを備えた情報処理装置１であって、前記座標指示装置１は、タッチ面５３でのタッチ座標Ｐ１を検知するタッチパッド５１と、前記タッチ面５３への押下を検知する押下検知手段５２とを備え、前記タッチ面５３は、隣り合う第１検知領域５５と第２検知領域５６との間に重複検知領域６０が設定され、この重複検知領域６０に第１検知領域５５側の重複検知領域６０と第２検知領域５５側の重複検知領域６０を仕切る凸リブ５７が設けられ、前記制御装置１０は、前記タッチ座標Ｐ１が前記第１検知領域５５から前記第２検知領域５６へ移動するにあたって、前記重複検知領域６０から第２検知領域５６に移動することによって、前記第１検知領域５５から前記第２検知領域５６への移動方向へ、前記選択状態１０２を１単位移動させるようにする。
【００６２】
また、本発明に係る座標指示装置を備えた他の情報処理装置は、１つの選択肢が選択状態１０２となる複数の選択肢１０１を備えた選択画面１００を表示する表示装置７と、前記選択状態１０２を所定の方向に移動させる座標指示装置５０と、前記座標指示装置５０の操作信号に基づいて前記表示装置７の表示内容を制御する制御装置１０とを備えた情報処理装置１であって、前記座標指示装置５０は、タッチ座標Ｐ１を検知するタッチパッド５１と、このタッチパッド５１に配置される押下検知手段５２と、前記タッチパッド５１と前記押下検知手段５２の上部を覆うタッチ面５３とを備え、前記タッチ面５３は、その中央に設定される決定の検知領域５４と、この決定の検知領域５４の周囲に設定される第１の検知領域５５と、この第１の検知領域５５の周囲に設定される第２の検知領域５６と、隣り合う前記検知領域の間に設定される重複検知領域６０と、前記重複検知領域６０の内側と外側の中央に前記２つの検知領域を仕切る凸リブ５７とを備え、前記制御装置１０は、前記タッチ座標Ｐ１が１つの検知領域から隣の検知領域へ移動するにあたって、前記重複検知領域６０から隣の検知領域に移動することによって、前記１つの検知領域から隣の検知領域への移動方向へ、前記選択状態１０２を１単位移動させるようにする。
【００６３】
この場合、前記決定の検知領域５４の四方の検知領域に、この決定の検知領域５４から外側に向かう指示マーク５８を備え、前記決定の検知領域５４と、前記指示マーク５８の下方に前記押下検知手段５２を備えるようにする。
【図面の簡単な説明】
【００６４】
【図１】第１実施例に係る携帯電話装置の概略構造を示す概略構成図である。
【図２】第１実施例に係る携帯電話装置の装置ブロック図である。
【図３】第１実施例に係る座標指示装置の操作説明図である。
【図４】第１実施例に係る座標指示装置の操作説明図である。
【図５】第１実施例に係る座標指示装置の動作フロー図である。
【図６】第１実施例に係る座標指示装置の動作説明図である。
【図７】第１実施例に係る座標指示装置の動作説明図である。
【図８】第２実施例に係る座標指示装置の操作説明図である。
【符号の説明】
【００６５】
１…携帯電話装置、２…第１函体、３…第２筺体、４…連結部、５…表示配置面、６…入力部配置面、７…表示部、８…操作入力部、１０…制御部（ＣＰＵ）、１１…通信装置、１２…マイク、１３…スピーカ、１４…記憶装置、１５…カメラ部、１６…バッテリー、５０…座標指示装置、５１…タッチパッド、５２…タクトスイッチ、５３…タッチ面、５４…決定検知領域、５５…第１検知領域、５６…第２検知領域、５７…凸リブ、５８…指示マーク、５９…タッチ領域、６０…重複検知領域、１００…メニュー画面、１０１…機能選択ボタン、１０２…選択状態、Ｑ１…タッチ点、Ｐ１…重心
【図１】
2010079772.tif 000003
【図２】
2010079772.tif 000004
【図３】
2010079772.tif 000005
【図４】
2010079772.tif 000006
【図５】
2010079772.tif 000007
【図６】
2010079772.tif 000008
【図７】
2010079772.tif 000009
【図８】
2010079772.tif 000010